(57)【特許請求の範囲】
【請求項１】
室外側面部と室内側面部を備えた複数枚のパネルを互いに回動可能に高さ方向に連結してなる扉体を備えたオーバーヘッドドアにおいて、
最下位パネルの下端には、パネル全幅に亘って弾性変形可能なボトム水密部材が設けてあり、
全閉状態において、前記ボトム水密部材は床面に密着する一方、各パネルの室外側面部の幅方向両端部と躯体とは隙間を存して離間対向しており、
前記隙間の下端には、全閉状態におけるボトム水密部材の長さ方向両端部の室外側に位置するように下側水密ブロックが設けてあり、
全閉状態において、前記床面に接触するボトム水密部材の長さ方向両端部の室外側部位が前記下側水密ブロックに密着することで、前記隙間の下端領域を閉塞するものであり、
前記ボトム水密部材は全長に亘って中空部を備え、
前記ボトム水密部材の前記中空部には、少なくとも長さ方向両端部領域において、弾性部材が充填されており、
全閉状態において、前記弾性部材によって密着状態におけるボトム水密部材の過度の変形が抑制されることで当該密着状態が維持される、
オーバーヘッドドア。
【請求項２】
室外側面部と室内側面部を備えた複数枚のパネルを互いに回動可能に高さ方向に連結してなる扉体を備えたオーバーヘッドドアにおいて、
最下位パネルの下端には、パネル全幅に亘って弾性変形可能なボトム水密部材が設けてあり、
全閉状態において、前記ボトム水密部材は床面に密着する一方、各パネルの室外側面部の幅方向両端部と躯体とは隙間を存して離間対向しており、
前記隙間の下端には、全閉状態におけるボトム水密部材の長さ方向両端部の室外側に位置するように下側水密ブロックが設けてあり、
全閉状態において、前記床面に接触するボトム水密部材の長さ方向両端部の室外側部位が前記下側水密ブロックに密着することで、前記隙間の下端領域を閉塞するものであり、
前記隙間には前記床面から高さ方向に延びるシール材が設けてあり、
全閉状態において、前記下側水密ブロックは、前記ボトム水密部材と前記シール材との間に位置し、第１面が前記ボトム水密部材に密着し、第２面が前記シール材に密着している、
オーバーヘッドドア。
【請求項３】
室外側面部と室内側面部を備えた複数枚のパネルを互いに回動可能に高さ方向に連結してなる扉体を備えたオーバーヘッドドアにおいて、
最下位パネルの下端には、パネル全幅に亘って弾性変形可能なボトム水密部材が設けてあり、
全閉状態において、前記ボトム水密部材は床面に密着する一方、各パネルの室外側面部の幅方向両端部と躯体とは隙間を存して離間対向しており、
前記隙間の下端には、全閉状態におけるボトム水密部材の長さ方向両端部の室外側に位置するように下側水密ブロックが設けてあり、
全閉状態において、前記床面に接触するボトム水密部材の長さ方向両端部の室外側部位が前記下側水密ブロックに密着することで、前記隙間の下端領域を閉塞するものであり、
前記隙間には前記床面から高さ方向に延びるシール材が設けてあり、前記下側水密ブロックは、前記シール材の下方部位と前記躯体との間に位置しており、
全閉状態において、前記下側水密ブロックは、第１面が前記シール材に密着し、第２面が前記躯体に密着しており、前記ボトム水密部材の長さ方向両端部の室外側部位が前記シール材を介して前記下側水密ブロックに密着している、
オーバーヘッドドア。
【請求項４】
室外側面部と室内側面部を備えた複数枚のパネルを互いに回動可能に高さ方向に連結してなる扉体を備えたオーバーヘッドドアにおいて、
最下位パネルの下端には、パネル全幅に亘って弾性変形可能なボトム水密部材が設けてあり、
全閉状態において、前記ボトム水密部材は床面に密着する一方、各パネルの室外側面部の幅方向両端部と躯体とは隙間を存して離間対向しており、
前記隙間の下端には、全閉状態におけるボトム水密部材の長さ方向両端部の室外側に位置するように下側水密ブロックが設けてあり、
全閉状態において、前記床面に接触するボトム水密部材の長さ方向両端部の室外側部位が前記下側水密ブロックに密着することで、前記隙間の下端領域を閉塞するものであり、
前記ボトム水密部材は全長に亘って中空部を備え、
前記ボトム水密部材の前記中空部には、少なくとも長さ方向両端部領域において、弾性部材が充填されており、
全閉状態において、前記弾性部材によって密着状態におけるボトム水密部材の過度の変形が抑制されることで当該密着状態が維持され、
前記隙間には前記床面から高さ方向に延びるシール材が設けてあり、
全閉状態において、前記下側水密ブロックは、前記ボトム水密部材と前記シール材との間に位置し、第１面が前記ボトム水密部材に密着し、第２面が前記シール材に密着している、
オーバーヘッドドア。
【請求項５】
室外側面部と室内側面部を備えた複数枚のパネルを互いに回動可能に高さ方向に連結してなる扉体を備えたオーバーヘッドドアにおいて、
最下位パネルの下端には、パネル全幅に亘って弾性変形可能なボトム水密部材が設けてあり、
全閉状態において、前記ボトム水密部材は床面に密着する一方、各パネルの室外側面部の幅方向両端部と躯体とは隙間を存して離間対向しており、
前記隙間の下端には、全閉状態におけるボトム水密部材の長さ方向両端部の室外側に位置するように下側水密ブロックが設けてあり、
全閉状態において、前記床面に接触するボトム水密部材の長さ方向両端部の室外側部位が前記下側水密ブロックに密着することで、前記隙間の下端領域を閉塞するものであり、
前記ボトム水密部材は全長に亘って中空部を備え、
前記ボトム水密部材の前記中空部には、少なくとも長さ方向両端部領域において、弾性部材が充填されており、
全閉状態において、前記弾性部材によって密着状態におけるボトム水密部材の過度の変形が抑制されることで当該密着状態が維持され、
前記隙間には前記床面から高さ方向に延びるシール材が設けてあり、前記下側水密ブロックは、前記シール材の下方部位と前記躯体との間に位置しており、
全閉状態において、前記下側水密ブロックは、第１面が前記シール材に密着し、第２面が前記躯体に密着しており、前記ボトム水密部材の長さ方向両端部の室外側部位が前記シール材を介して前記下側水密ブロックに密着している、
オーバーヘッドドア。
【請求項６】
前記ボトム水密部材の長さ方向両端部の室外側部位の上側に近接ないし接触して上側水密ブロックが設けてあり、
全閉状態において、前記上側水密ブロックは、前記ボトム水密部材と前記シール材との間に位置し、第１面が前記ボトム水密部材に密着し、第２面が前記シール材に密着している、
請求項２〜５いずれか１項に記載のオーバーヘッドドア。
【発明の詳細な説明】
【技術分野】
【０００１】
本発明は、オーバーヘッドドアに係り、より詳しくは、防水性能を備えたオーバーヘッドドアに関するものである。
【背景技術】
【０００２】
オーバーヘッドドアは、倉庫やガレージ等の建物の屋外と屋内とを連通する開口部に設置する建具として知られており、風圧力、雨仕舞に配慮した設計となっているが、防水性能（特に水圧を伴った水に対する抵抗力）については考慮されていない。
【０００３】
近年、ゲリラ豪雨等による建物内部への浸水が多発するようになり、オーバーヘッドドアにおいても防水性能が要求される場面も増えている。しかしながら、オーバーヘッドドアは、扉体開閉時におけるパネルと躯体との接触を防ぐためにパネルの室外側面部の幅方向両端部と躯体とは隙間を存して離間対向する構造となっており、豪雨等によって屋外側の水位が高くなると、かかる隙間から屋内側への浸水を招いてしまうことになる。
【０００４】
特許文献１には、オーバーヘッドドアの止水装置が開示されているが、開口部全閉時に、作動アームによってドアプレスアングルを室外側に押圧して、最下段のドアパネルの下端部及び左右両端部をシール部材に密着させるものであり、止水装置にのみ使用する部材を別途用意しておく必要があり、また、止水構造を得るためには、開口部全閉後に作動アームの操作が必要となる。
【特許文献１】特公平４−３３３５２
【発明の開示】
【発明が解決しようとする課題】
【０００５】
本発明は、通常の閉鎖動作における全閉状態と同時に防水性能を発揮するオーバーヘッドドアを提供するものであり、特に、全閉状態の扉体の下端部位における防水構造に特徴を備えたオーバーヘッドドアを提供することを目的とするものである。
【課題を解決するための手段】
【０００６】
本発明が採用した技術手段は、
室外側面部と室内側面部を備えた複数枚のパネルを互いに回動可能に高さ方向に連結してなる扉体を備えたオーバーヘッドドアにおいて、
最下位パネルの下端には、パネル全幅に亘って弾性変形可能なボトム水密部材が設けてあり、
全閉状態において、前記ボトム水密部材は床面に密着する一方、各パネルの室外側面部の幅方向両端部と躯体とは隙間を存して離間対向しており、
前記隙間の下端には、全閉状態におけるボトム水密部材の長さ方向両端部の室外側に位置するように下側水密ブロックが設けてあり、
全閉状態において、前記床面に接触するボトム水密部材の長さ方向両端部の室外側部位が前記下側水密ブロックに密着することで、前記隙間の下端領域を閉塞する、
オーバーヘッドドア、である。
１つの態様では、前記下側水密ブロックの前記ボトム水密部材と接触する部位には、弾性層が形成されている。
【０００７】
１つの態様では、前記ボトム水密部材は全長に亘って中空部を備え、
前記ボトム水密部材の前記中空部には、少なくとも長さ方向両端部領域において、弾性部材が充填されており、
全閉状態において、前記弾性部材によって密着状態におけるボトム水密部材の過度の変形が抑制されることで当該密着状態が維持される。
１つの態様では、前記ボトム水密部材は室外側フィン、室内側フィンを備え、
前記室外側フィンが押しつぶされると、当該室外側フィンの面部とボトム水密部材の室外側下半部の面部が密着するようになっており、前記面部の一方あるいは両方には弾性層が形成されている。
ボトム水密部材の形状は、全閉状態で水密構造を形成できるものであれば、限定されず、フィンを備えていなくてもよい。
１つの態様では、全閉状態において、ボトム水密部材が変形して（最下位パネルの室外側への変位と相俟って）、当該ボトム水密部材の室外側部位の一部が、躯体（躯体に設けた枠体、あるいは、枠体に設けたシール材）に密着する。この場合、ボトム水密部材の室外側部位において、躯体（躯体に設けた枠体、あるいは、枠体に設けたシール材）に密着する部分の下方の部位が下側水密ブロックに密着する。
【０００８】
１つの態様では、前記隙間には前記床面から高さ方向に延びるシール材が設けてあり、
全閉状態において、前記下側水密ブロックは、前記ボトム水密部材と前記シール材との間に位置し、第１面が前記ボトム水密部材に密着し、第２面が前記シール材に密着している。
なお、前記下側水密ブロックは、躯体（躯体に固定した枠体を含む）に密着させたものでもよい。
下側水密ブロックは、典型的には床面に固定されるが、さらに、シール材や躯体に固定してもよい。
１つの態様では、前記隙間には前記床面から高さ方向に延びるシール材が設けてあり、前記下側水密ブロックは、前記シール材の下方部位と前記躯体との間に位置しており、
全閉状態において、前記下側水密ブロックは、第１面が前記シール材に密着し、第２面が前記躯体に密着しており、前記ボトム水密部材の長さ方向両端部の室外側部位が前記シール材を介して前記下側水密ブロックに密着している。
【０００９】
１つの態様では、前記隙間には、
高さ方向に延びる第１シール材と、
床面から所定高さに亘って設けられた第２シール材と、
が設けてあり、
全閉状態において、前記第１シール材の少なくとも部分は、前記隙間に位置して、前記パネルの室外側面部の幅方向端部に接触しており、
全閉状態において、前記第２シール材は、前記第１シール材と前記躯体との間で圧縮状態にあって、前記隙間の下方部位は、最下位パネルの室外側面部、前記第１シール材、前記第２シール材、前記躯体が重なり合うことで閉塞されており、
前記下側水密ブロックは前記第１シール材に密着している。
１つの態様では、前記第１シール材、第２シール材を備えたものにおいて、前記下側水密ブロックは、前記第２シール材の下方部位と前記躯体との間に位置しており、
全閉状態において、前記下側水密ブロックは前記第２シール材に密着し、前記ボトム水密部材の長さ方向両端部の室外側部位が前記第１シール材に密着しており、前記ボトム水密部材の長さ方向両端部の室外側部位が前記第１シール材、第２シール材を介して前記下側水密ブロックに密着している。
【００１０】
１つの態様では、前記ボトム水密部材の長さ方向両端部の室外側部位の上側に近接ないし接触して上側水密ブロックが設けてあり、
全閉状態において、前記上側水密ブロックは、前記ボトム水密部材と前記シール材との間に位置し、第１面が前記ボトム水密部材に密着し、第２面が前記シール材に密着している。
前記上側水密ブロックが前記シール材に密着することで、前記下側水密ブロックによって閉塞された空間の上側の空間を閉塞する。
上側水密ブロックは、最下位パネル下端あるいは／およびボトム水密部材に固定され得る。
この上側水密ブロックは、ボトム水密部材の形状によっては設けなくてもよい任意要素である（図９参照）。
【００１１】
１つの態様では、全閉状態において、前記最下位パネルは室外側に変位する。
１つの態様では、前記ガイドレールの第１ガイド面及び第２ガイド面は、下方に向かって室外側に緩やかに傾斜しており、
全閉状態では、前記ガイドレールに案内される最下位パネルのガイドローラを介して最下位パネルが室外側に変位する。最下位パネルの室内側への移動は、前記ガイドローラがガイドレールの前記第１ガイド面に当接することで規制されている。
１つの態様では、前記ガイドレールの第１ガイド面には、全閉状態において、最下位パネルのガイドローラが位置する高さに、凸部が形成されており、全閉状態では、ガイドレールの前記凸部に押圧される前記ガイドローラを介して最下位パネルが室外側に変位する。最下位パネルの室内側への移動は、前記ガイドローラがガイドレールの前記第１ガイド面に形成された前記凸部に当接することで規制されている。
１つの態様では、全閉状態では、前記凸部と上記ガイドレールの傾斜が協働して、最下位パネルのガイドローラを室外側に案内することで、最下位パネルが室外側に変位する。
【発明の効果】
【００１２】
本発明では、全閉状態において、前記ボトム水密部材は床面に密着する一方、各パネルの室外側面部の幅方向両端部と躯体とは隙間を存して離間対向しており、前記隙間の下端には、全閉状態におけるボトム水密部材の長さ方向両端部の室外側に位置するように下側水密ブロックを設けたことで、全閉状態において、前記床面に接触するボトム水密部材の長さ方向両端部の室外側部位が前記下側水密ブロックに密着することで、前記隙間の下端領域を閉塞することができる。
【００１３】
本発明では、扉体が全閉状態となると同時に、前記最下位パネルに対応する前記隙間の密閉状態が得られる。
【図面の簡単な説明】
【００１４】
【図１】全閉姿勢にあるオーバーヘッドドアを室内側から見た正面図である。
【図２】全閉姿勢にあるオーバーヘッドドアの側面図である。
【図３】最下位パネルの下端部位の幅方向端部の縦断面図である。
【図４】最下位パネルの下端部位の幅方向端部を室外側から見た図である。
【図５】最下位パネルの下端部位の幅方向端部を室内側から見た図である。
【図６】オーバーヘッドドア下端の水密構造を示し、全閉姿勢にあるオーバーヘッドドアの最下位パネルの下端部位の幅方向端部の縦断面図である。
【図７】図６のＡ−Ａ断面図である。
【図８】図６の状態からボトム水密部材が押しつぶされた状態を示す図である。
【図９】オーバーヘッドドア下端の水密構造の他の実施形態を示し、全閉姿勢にあるオーバーヘッドドアの最下位パネルの下端部位の幅方向端部の縦断面図である。
【図１０】ガイドレールの支持構造及び取付構造を示す図である。
【図１１】オーバーヘッドドアの側部及び下端の水密構造を示し、全閉姿勢にあるオーバーヘッドドアの最下位のパネルを含む側面図である。
【図１２】全閉姿勢にあるオーバーヘッドドアの最下位パネルの下端部位の幅方向端部の縦断面図である。
【図１３】全閉姿勢にあるオーバーヘッドドアの最下位のパネルにおける横断面図である（他の実施形態）。
【図１４】下側水密ブロックの取付状態を示す図である。
【発明を実施するための形態】
【００１５】
［Ａ］オーバーヘッドドアの構成
図１は全閉姿勢にあるオーバーヘッドドアを室内側から見た正面図、図２は全閉姿勢にあるオーバーヘッドドアの側面図であり、オーバーヘッドドアの扉体は、横長の長方形状の複数枚のパネル１を、丁番２を介して上下方向に互いに回動可能に連結して構成されている。各パネル１の幅方向両端にはガイドローラ３が回転自在に設けてあり、扉体は、各パネル１の左右のガイドローラ３が左右のガイドレール４にそれぞれ案内されて上昇、下降することで建物開口部を開閉する。
【００１６】
ガイドレール４は、開口部の高さ方向に延びる第１部位４０と、第１部位４０の上方から室内側に向かって後方に延びる湾曲状の第２部位４１と、第２部位４１の後方から天井ＣＬに沿って後方に延びる第３部位４２と、からなる。第１部位４０は、下方から上方に向かって室内側へ緩やかに傾斜している。第３部位４２は、室内側に向かって上方に緩やかに傾斜している。
【００１７】
開口部全閉状態では各パネル１（最上位のパネル１を除く）はガイドレール４の第１部位４０に位置することで複数枚のパネル１がほぼ垂直姿勢となって開口部を閉鎖している。開口部全閉状態から、各パネル１がほぼ垂直姿勢から第３部位４２に位置するほぼ水平姿勢まで引き上げられ（最下位のパネル１は湾曲部位４１に位置する）、扉体が室内側空間の天井ＣＬに沿って横方向に延びた姿勢となって、開口部全開状態となる。
【００１８】
開口部の上方には、バランススプリング２０を備えた回転軸２１が配設されており、回転軸２１の両端部に軸支したドラム２２に一端をそれぞれ固定した巻取りワイヤ２３の他端を、最下位のパネル１の左右両端のワイヤ接続部１６２（図７、１３参照）にそれぞれ接続して、バランススプリング２０の巻き上げ方向の付勢力により全閉姿勢にある扉体を開放方向（上方）に付勢するように構成されている。
【００１９】
本実施形態に係るオーバーヘッドドアは電動式であり、電動開閉機構は、開閉機２４と、トロリーレール２５と、連結アーム２６と、を備え、連結アーム２６の上端はトロリーレール２５上を移動可能となっており、開閉機２４による連結アーム２６の移動によって最上位パネル１を始動させることで扉体を移動させる。図２において、全開方向への移動時の扉体の移動軌跡を実線１´で示している。なお、上述のオーバーヘッドドアの駆動構成は一例に過ぎないものであり、本発明の内容を限定するものではない。
【００２０】
ガイドレール４（第１部位４０）は、開口部のほぼ全高に亘って垂直状に延びる支持枠６及び支持プレート７を介して、開口部左右の躯体５の内面５０から持ち出し状に支持されている。図７、１３に示すように、ガイドレール４は、断面視においてほぼＣ形状を有しており、より具体的には、凹状の第１ガイド面４３と、平面状の第２ガイド面４４と、第１ガイド面４３と第２ガイド面４４を繋ぐ側部４５と、からなる。図示の態様では、第１ガイド面４３が室内側（躯体５の内面５０から遠い側）、第２ガイド面４４が室外側（躯体５の内面５０に近い側）に位置している。
【００２１】
支持枠６は、第１辺６０と第２辺６１とから断面視Ｌ形状を備えた長尺部材であり、第１辺６０の外面を躯体５の内面５０に重ねるようにして躯体５に連結される。第１辺６０が躯体５の内面５０に連結された状態において、第２辺６１は、室内側に向かって躯体５の内面５０に対して垂直状に延びている。第２辺６１の外面には、支持プレート７が面接触して連結されており、支持プレート７の室内側部位７０は、第２辺６１の端部を超えて室内側に延びており、室内側部位７０の内面には、ガイドレール４の第１部位４０の側部４５が面接触して螺子７１で連結されている。なお、本実施形態では、支持枠６と支持プレート７を別個の部材から構成したが、これらを一体形成してもよい。
【００２２】
パネル１は、室外側面部１０と、室内側面部１１と、左右の側面１２、上面１３（図１１参照）、下面１４（図３、１１参照）を備えている。パネル１の上面１３は上向き凸状、下面１４は下向き凹状の形状を有しており、上下に隣接する２枚のパネル１は、パネル１同士が回動可能なように、上側のパネル１の凹状の下面１４に、下側のパネル１の凸状の上面１３が受け入れられた状態で丁番２によって連結されている。パネル１の下端部位は、下向き凹部を挟んで室外側部位１４０と室内側部位１４１とからなる（図３）。
【００２３】
パネル１の幅方向両端部には縦框１５が設けてある。縦框１５は、断面視ほぼコ字状の板材からなり、パネル１の室外側面部１０に密着する第１辺１５０と、パネル１の室内側面部１１に密着する第２辺１５１と、パネル１の側面１２に密着する第３辺１５２と、からなり、第２辺１５１の幅寸法は、第１辺１５０の幅寸法よりも大きい。縦框１５の第１辺１５０及び第３辺１５２の室外側半部の内面と、パネル１の室外側面部１０及び側面１２の室外側半部と、の接合面には、シーリング材(図示せず)が設けてある。室外側面部１０には、高さ方向に間隔を存して複数の凹部１００が幅方向に形成されているが、縦框１５の第１辺１５０と凹部１００の隙間にシーリング材（定型、不定形を問わない）を充填することで、この隙間を閉塞してある。
【００２４】
最下位のパネル１の室内側面部１１の幅方向両端部（すなわち、縦框１５の第２辺１５１）及び側面１２（すなわち、縦框１５の第３辺１５２）の下方部位には、これらに当接するように断面視Ｌ形状の被連結部材１６が設けてある。被連結部材１６の第１辺１６０は、第２辺１５１に当接し、第２辺１６１は、第３辺１５２に当接している。被連結部材１６の第２辺１６１には、巻取りワイヤ接続部１６２が設けてあり、巻取りワイヤ（図７、１３では図示せず）が連結される。
【００２５】
被連結部材１６の第１辺１６０には、断面視コ字状のブラケット１７が固定されている。ブラケット１７は、対向する第１辺１７０と第２辺１７１と、被連結部材１６の第１辺１６０に接続される第３辺１７２と、からなり、第１辺１７０と第２辺１７１間にローラ軸３０が支持されており、ローラ軸３０の先端部位は、第２辺１７１及びパネル１の側面１２（縦框１５の第３辺１５２）を越えて延びており、先端にガイドローラ３が回転自在に支持されている。最下位のガイドローラ３を除くガイドローラ３及びローラ軸３０は、丁番２に連結されたローラブラケット１６´に支持されている（図１１）。なお、ガイドローラ３の支持構造は、図示の態様に限定されるものではない。
【００２６】
ガイドレール４の第１ガイド面４３と第２ガイド面４４の内面間の距離は、ガイドローラ３の直径よりも大きく、ガイドローラ３は、クリアランス（遊び）を有してガイドレール４に受け入れられている。すなわち、ガイドローラ３が第１ガイド面４３の内面に接触している時には、ガイドローラ３と第２ガイド面４４の内面との間には隙間が形成されている（図７、１３参照）。
【００２７】
上述のように、パネル１の室内側面部１１の幅方向端部から側面１２を越えて突出するローラ軸３０に設けたガイドローラ３がガイドレール４の第１部位４０に受け入れられた状態でパネル１の室外側面部１０（第１辺１５０）と躯体５の内面５０（第１辺６０）との間には隙間が形成されているが、ガイドローラ３がガイドレール４の第１部位４０の第１ガイド面４３に当接することで、室外側で発生した水圧によってパネル１が室内側へ押圧された場合であっても、上記隙間の拡大が規制される。また、上記隙間は、ガイドローラ３とガイドレール４間のクリアランスよりも大きく、ガイドローラ３がガイドレール４の第１部位４０の第２ガイド面４４に当接した場合であっても、第１辺１５０が第１辺６０に接触することはない。パネル１の側面１２（縦框１５の第３辺１５２）と第２辺６１との間には空間が形成されており、かかる空間を利用して、巻取りワイヤ（図７、１３では図示せず）が高さ方向に延びている。
【００２８】
［Ｂ］オーバーヘッドドアの下端部位の水密構造
［Ｂ−１］ボトム水密部材
最下位パネル１の下端には、幅方向に亘って弾性変形可能なボトム水密部材８、いわゆるウェザーストリップ、が設けてあり、全閉状態において、ボトム水密部材８が床面ＦＬの凹凸（平面状の床面ＦＬも完全な平面ではなく変形している）に倣って追従して弾性変形した状態で平面状の床面ＦＬに密着することで、最下位パネル１の下端の水密構造を確保する。ボトム水密部材８は、ゴム（例えばEPDMゴム）や弾性樹脂等の弾性部材から形成される。
【００２９】
ボトム水密部材８は、断面視円形状で中空の本体８０と、本体８０の上面に形成された断面視Ｔ形状の被保持部８１と、本体８０の下方部位に形成した室外側フィン８２と、室内側フィン８３と、を備えている。室外側フィン８２は室外側へ下向きに傾斜しており、室内側フィン８３は室内側へ下向きに傾斜している。図示の態様では、室外側フィン８２、室内側フィン８３は、僅かに皿状に湾曲しているが、フィンはストレート形状であってもよい。
【００３０】
ボトム水密部材８の本体８０の中空部の長さ方向両端部には、弾性部材８４が設けてある。弾性部材８４は直方体状のブロックであり、角部がボトム水密部材８の本体８０の内面に接触している。弾性部材８４は、例えば、独立発泡ゴムからなり、より具体的には、ＣＲスポンジ（クロロプレンゴムをベースとしたゴムスポンジ）である。図示の態様では、弾性部材８４の長さ寸法は、縦框１５の第１辺１５０の幅寸法より小さい寸法となっている（図４、７参照）。弾性部材８４は、ボトム水密部材８の中空部の断面形状に内側から接触するような形状であればよく、断面視方形状の弾性部材８４を図示したが、弾性部材８４は断面視多角形状（例えば、５角形や６角形）でもよく、あるいは、不定形でもよい。
【００３１】
ボトム水密部材８は、全閉状態において床面ＦＬの凸凹等との追従性を考慮して変形し易い袋形状（中空状）の弾性部材から形成されている。ボトム水密部材８の長さ方向両端部の内部空間に弾性部材８４を設けることで、床面ＦＬの形状と追従できるものでありながら、屋外側から水圧がかかった時のボトム水密部材８の長さ方向両端部の過度の変形を防止する。すなわち、中空状のボトム水密部材８の長さ方向両端に弾性部材８４を設けることで、ボトム水密部材８の耐水圧性能を向上させる。図示の態様では、直方体状ブロックからなる弾性部材８４を設けたが、上記目的を達成できるものであれば、弾性部材８４の形状や材質は限定されない。
【００３２】
通常の全閉状態では、ボトム水密部材８の下端の室外側フィン８２、室内側フィン８３の先端部位が床面ＦＬに接触（線接触ないし線接触に近い）することで、ボトム水密部材８の全長に亘って雨水の浸水を防止する。図８に示すように、ボトム水密部材８を押し潰すように最下位パネル１を押し込むと（電動駆動によって、あるいは、手動の場合にはバランス調整やロック装置の調整によって）、室外側フィン８２、室内側フィン８３が本体８０に密着するように変形し、本体８０の底面及び室外側フィン８２、室内側フィン８３の腹部が床面ＦＬに密着して、ボトム水密部材８の全長に亘って水密構造を提供することで、浸水高が大きくなった時の水圧に対抗することができる。
【００３３】
全閉状態で、ボトム水密部材８が押し潰された時に、押し潰された室外側フィン８２の面部と、ボトム水密部材８の本体８０の室外側下半部の面部が密着するようになっており、これらの２つの面部に亘って弾性層８５が設けてある。図示の態様では、弾性層８５は、本体８０に設けられる第１部分８５０と、室外側フィン８２に設けられる第２部分８５１と、からなる。第１部分８５０と第２部分８５１は一体でも別体でもよく、また、一方のみであってもよい。弾性層８５は、ボトム水密部材８の全長に亘って設けてもよく、あるいは、長さ方向の両端部にのみ設けてもよい。弾性層８５は、被接触要素（接触する相手方）の変形に対する追従性が高い弾性部材からなる。弾性層８５を形成する弾性部材の材料としては、半独立気泡構造ないし独立気泡構造を備えた発泡ゴムが例示され、より具体的には、EPDMゴム発泡体（独立気泡体ないし半独立気泡体）が例示され、具体例としてエプトシーラー（登録商標）を挙げることができる。
【００３４】
［Ｂ−２］リテーナ
最下位のパネル１の下面１４の凹部内には、ボトム水密部材８を保持するリテーナ９が固定されている。リテーナ９は、パネル１の幅方向に延びる長尺部材であり、図３に示すように、凸状の上面９０と、垂直状の室外側面９１と、垂直状の室内側面９２と、を備えた中空部材である。リテーナ９は、さらに、室外側面９１の下端の水平状の折り曲げ片９３と、室内側面９２の下端の水平状の折り曲げ片９４と、を備え、折り曲げ片９３、９４の先端間が開口している。リテーナ９は、上面９０をパネル１の下面１４の底部（頂部）に当接させて螺子１４２で固定し、リテーナ９の下端にボトム水密部材８を横方向から装着した状態で、長さ方向両端部において、室内側面９２とパネル１の下端の室内側部位１４１を螺子１４３で固定してなる。最下位パネル１の下面１４とリテーナ９との間には、図示しなないシーリング材ないしコ―キング材が設けられる。
【００３５】
リテーナ９の中空部（内部空間）には全長に亘って、閉塞部材９５が充填されており、リテーナ９の端部の開口を閉塞し、全長に亘って外部から内部への浸水を防止している。閉塞部材９５は、リテーナ９の内部空間を閉塞して内部空間への浸水を防止できるものであれば、材質は限定されないが、本実施形態では、発泡ウレタンからなり、端部から注入することで内部空間を閉塞する。最下位パネル１の縦框１５の第３辺１５２は、側方から最下位パネル１の下面１４の凹部を覆うように最下位パネル１の下端まで延びており、リテーナ９の長さ方向両端部に近接対向している。第３辺１５２とリテーナ９の長さ方向端部との間には、図示しないシーリング材ないしコ―キング材が設けられる。
【００３６】
さらに、リテーナ９とボトム水密部材８の接続部（少なくとも、室外側に位置する折り曲げ片９３とボトム水密部材８の後述する断面視Ｔ形状の被保持部８１との係止部）を接着剤ないしコ―キング材で塞ぐことで、接続部からの浸水を防止している。
【００３７】
［Ｂ−３］上側水密ブロック（第１水密ブロック）
最下位パネル１の下端の幅方向両端部の室外側部位には、ボトム水密部材８の本体８０の室外側部位の上半部位に近接して、第１水密ブロック８６が設けてある。第１水密ブロック８６は、上面８６０と、第１面８６１と、第２面８６２と、を備えた断面視三角形状の部材である。第１水密ブロック８６は、躯体５の内面５０、より具体的には、支持枠６の第１辺６０、に対向する短尺部材であり、最下位パネル１の幅方向両端部と躯体５の内面５０間に形成される隙間内に位置している（図６）。第１水密ブロック８６は、パネル１の室外側面部１０（本実施形態では、縦框１５の第１辺１５０）より室外側に突出しないようになっており、扉体の開閉動作の支障にはならない。
【００３８】
図示の態様では、上面８６０は水平面であって、第１水密ブロック８６は、上面８６０を最下位パネル１の下端に固定することでパネル１に装着されている。第１面８６１は、下側に向かって室外側に傾斜する傾斜面であり、本体８０の室外側部位の上半部位に近接ないし接触している。第２面８６２は、下側に向かって室内側に傾斜する傾斜面であり、躯体５の内面５０（支持枠６の第１辺６０）に対向する。好ましい態様では、後述するように最下位パネル１の室外側面部１０（縦框１５の第１辺１５０）と支持枠６の第１辺６０との間にシール材１８、１９が設けられ、第２面８６２はシール材１８に対向している（図１２参照）。全閉状態では、後述するように最下位パネル１が室外側に変位すると共に、第１水密ブロック８６の傾斜状の第２面８６２は、ボトム水密部材８の変形に伴って変形することで、第２面８６２が室外側に押し出されてシール材１８に密着する。この時、第１水密ブロック８６の第１面８６１とボトム水密部材８の本体８０とは密着状態にある。第１水密ブロック８６は、例えば、独立発泡ゴムからなり、より具体的には、ＣＲスポンジ（クロロプレンゴムをベースとしたゴムスポンジ）である。第１水密ブロック８６の第１面８６１をボトム水密部材８の本体８０に固定してもよい。第１水密ブロック８６の形状は、扉体の開閉を妨げるものでなく、全閉状態で良好な密閉状態を形成できるものであれば、図示の形状に限定されない。
【００３９】
［Ｂ−４］下側水密ブロック（第２水密ブロック）
全閉状態において、ボトム水密部材８は床面ＦＬに接触する一方、ボトム水密部材８の長さ方向端部の室外側部位と躯体５の内面５０（支持枠６の第１辺６０）とは隙間を存して離間対向している。床面ＦＬには、この隙間の下端に位置して、全閉状態におけるボトム水密部材８の長さ方向両端部の室外側に位置するように第２水密ブロック８７が設けてある。第２水密ブロック８７は、下面８７０と、第１面８７１と、第２面８７２と、を備えた断面視三角形状の部材である。第２水密ブロック８７は、躯体５の内面５０（支持枠６の第１辺６０）の下端部位に位置する短尺部材である。好ましい態様では、後述するように最下位パネル１の室外側面部１０（縦框１５の第１辺１５０）と支持枠６の第１辺６０との間にシール材１８、１９が設けられ、第２水密ブロック８７の第２面８７２は、シール材１８の下端部位に位置する。
【００４０】
図示の態様では、下面８７０は水平面であって、第２水密ブロック８７は、下面８７０を床面ＦＬに固定することで装着されている。第１面８７１は、下側に向かって室内側に傾斜する傾斜面であり、第１面８７１には、弾性層８８が設けてある。第２面８７２は、垂直面であり、躯体５の内面５０、より具体的には、支持枠６の第１辺６０の下方部位に接触している。また、最下位パネル１の室外側面部１０（縦框１５の第１辺１５０）と支持枠６の第１辺６０との間にシール材１８、１９が設けられる態様では、第２水密ブロック８７の第２面８７２は、シール材１８の下方部位に接触している。
【００４１】
第２水密ブロック８７は、発泡ポリスチレンないし発泡スチロールから形成されており、弾性層８８は、発泡ゴム（例えば、EPDMゴム発泡体）から形成されている。弾性層８８は、被接触要素（接触する相手方）の変形に対する追従性が高い弾性部材からなる。すなわち、第２水密ブロック８７は、外力が作用した場合であっても、比較的形状を維持できる材料から形成されており、ボトム水密部材８と接触する面は、密着状態を得るように弾性層８８から形成されている。第２水密ブロック８７の第２面８７２に弾性層を設けてもよく、また、第２水密ブロック８７の第２面８７２を躯体５の内面５０（支持枠６の第１辺６０）に固定してもよい。第２水密ブロック８７の材料も、発泡ポリスチレンないし発泡スチロールに限定されるものではない。なお、第２水密ブロック８７を形成する面は必ずしも平面である必要はなく、例えば、第１面８７１が凹状や凸状の湾曲面であってもよい。また、第２水密ブロック８７の形状は断面視三角形状に限定されるものではなく、例えば、断面視台形状であってもよい。
【００４２】
図６の状態から最下位パネル１を下方に押し込むことで、図８に示すようにボトム水密部材８がさらに弾性変形し、ボトム水密部材８の室外側部位と第２水密ブロック８７の弾性層８８が密着し、第２水密ブロック８７の第２面８７２と支持枠６の第１辺６０（後述する実施形態ではシール材１８）の下方部位が密着して水密構造を提供する。第２水密ブロック８７の形状は、全閉状態で良好な密閉状態を形成できるものであれば、図示の形状に限定されない。
【００４３】
［Ｂ−５］オーバーヘッドドアの下端部位の水密構造の他の実施形態
ボトム水密部材８の形状や構成、取付構成は、上記のものに限定されない。図９にボトム水密部材８の他の実施形態を示す。図９に示すように、最下位パネル１の下端は水平状であり、下框９´が装着されている。下框９´は、水平状の下面９０´と、室外側面部９１´、室内側面部９２´と、から断面視コ字形状を有し、最下位パネル１の幅方向に亘って延びる長尺部材である。下框９´は、ボトム水密部材８を保持するリテーナとして機能する。
【００４４】
ボトム水密部材８は、断面視ほぼ半円状の中空の本体８０を有しており、最下位パネル１の長さ方向に亘って延びる長尺部材である。本体８０を形成する壁の室外側の上端、室内側の上端には、断面視円形状の挿入部８１´が形成されており、一方、下框９´の下面９０´の室外側端部、室内側端部には、それぞれ断面視円形状の受部９３´、９４´が形成されており、長さ方向に挿入部８１´を受部９３´、９４´に挿入することで、ボトム水密部材８を最下位パネル１の下框９´に固定する。図９に示すボトム水密部材８は、図３に示すボトム水密部材８と対比して、第１水密ブロック８６やフィン８２、８３を備えていない。
【００４５】
床面ＦＬには、全閉状態におけるボトム水密部材８の長さ方向両端部の室外側に位置するように第２水密ブロック８７が設けてある。第２水密ブロック８７は、下面８７０と、第１面８７１と、第２面８７２と、を備えた断面視三角形状の部材である。下面８７０は水平面であって、第２水密ブロック８７は、下面８７０を床面ＦＬに固定することで装着されている。第１面８７１は、下側に向かって室内側に傾斜する傾斜面であり、第１面８７１には、弾性層８８が設けてある。第２面８７２は、垂直面であり、躯体５の内面５０、より具体的には、支持枠６の第１辺６０の下方部位に接触している。
【００４６】
第２水密ブロック８７は、発泡ポリスチレンないし発泡スチロールから形成されており、弾性層８８は、発泡ゴム（例えば、EPDMゴム発泡体）から形成されている。すなわち、第２水密ブロック８７は、外力が作用した場合であっても、比較的形状を維持できる材料から形成されており、ボトム水密部材８と接触する面は、密着状態を得るように弾性層８８から形成されている。第２水密ブロック８７の第２面８７２に弾性層を設けてもよく、また、第２水密ブロック８７の第２面８７２を躯体５の内面５０（支持枠６の第１辺６０、あるいは、シール材１８）に固定してもよい。
【００４７】
図９の状態から最下位パネル１を下方に押し込むことで、ボトム水密部材８がさらに弾性変形し、ボトム水密部材８の室外側部位と支持枠６の第１辺６０（後述する実施形態ではシール材１８）が密着し、ボトム水密部材８の室外側部位と第２水密ブロック８７の弾性層８８が密着し、第２水密ブロック８７の第２面８７２と支持枠６の第１辺６０（後述する実施形態ではシール材１８）の下方部位が密着して水密構造を提供する。第２水密ブロック８７の形状は、全閉状態で良好な密閉状態を形成できるものであれば、図示の形状に限定されない。
【００４８】
［Ｃ］オーバーヘッドドアの側方部位の水密構造
オーバーヘッドドアの全閉状態において、パネル１の室外側面部１０の幅方向両端部（すなわち、縦框１５の第１辺１５０）は、隙間を存して躯体５の内面５０（本実施形態では、支持枠６の第１辺６０）に離間対向しているが、この隙間にシール材を設けることで、側方部位の水密構造を提供することができる。以下に述べる実施形態では、この隙間に、建物開口部のほぼ開口高に亘って延びるフィン状のシール材１８、最下位パネル１の高さに亘って延びるブロック状（容易に圧縮変形可能）のシール材１９が設けられる。
【００４９】
１つの態様では、側方部位の水密構造を形成するシール材１８、シール材１９は予め支持枠６に取り付けられており、支持枠６を介して躯体５に設けられる。支持枠６の第１辺６０の躯体５への連結手段は限定されないが、第１辺６０の外面と躯体５の内面５０との間にシーリング材を設けることで水密構造が形成される。図１０に示す態様では、支持枠６の第１辺６０の外面にゴム製の弾性部材１９´を接着し、躯体５の内面５０に圧縮密着させて、図示しない螺子で固定する。弾性部材１９´の材料としては、EPDMゴム発泡体が例示され、具体例としてエプトシーラー（登録商標）を挙げることができる。支持枠６の第１辺６０の外面を躯体５の内面５０に溶接してもよく、この場合には、シーリング材としてコーキング材を設けることで水密構造を形成することができる。
【００５０】
支持枠６には、高さ方向に亘って、第１辺６０の内面に沿って延びるフィン状のシール材１８が設けてある。本実施形態では、シール材１８の下端は床面ＦＬに達している。シール材１８は、先端側の第１部分１８０と基端側の第２部分１８１とから断面視へ字状を有しており、先端は第１辺６０の端部に位置しており、基端は断面視Ｌ形状の支持枠６の隅部に位置している。支持枠６の第２辺６１の内面には、高さ方向に亘ってシール材支持部１８２が設けてあり、シール材支持部１８２には、断面視Ｌ形状の支持枠６の隅部に位置して被係合溝１８３が形成されており、シール材１８の基端は、被係合溝１８３に係合されている。本実施形態では、シール材１８の基端側を第２辺６１に設けたシール材支持部１８２に支持させたが、シール材１８の基端側を第１辺６０（例えば、第１辺６０に図示しないシール材支持部を設ける）から支持するようにしてもよい。
【００５１】
シール材１８には、扉体の開閉時及び全閉状態において、パネル１の室外側面部１０の幅方向端部、具体的には、縦框１５の第１辺１５０が摺接するようになっており、シール材１８は弾性部材から形成されると共に、少なくとも縦框１５の第１辺１５０と接触する部分は摺動性（滑動性）に優れた特性を備えている。シール材１８を形成する弾性部材としては、合成樹脂やゴムを例示することができる。
【００５２】
支持枠６の第１辺６０の先端側には、高さ方向の下方部位において（全閉状態の最下位のパネル１の全高に位置する部位）、弾性部材からなるブロック状のシール材１９が設けてある。シール材１９の下端は床面ＦＬに達しており、上端は、扉体全閉姿勢における最下位パネル１の上端（縦框１５の上端）に達している。パネル１の高さは、想定される水位３００ｍｍよりも高いので、床面ＦＬから全閉姿勢にある最下位パネル１の全高に亘って水密構造を形成することによって、少なくとも想定水位には対応できると考えられる。本実施形態では、シール材１９の高さ寸法は、最下位パネル１の高さ寸法とほぼ一致しているが、パネルの高さ寸法や想定水位によっては、シール材１９は、最下位パネル１の上端を越えて上方に延びていてもよく、あるいは、最下位パネル１の高さ寸法よりも低い高さ寸法であってもよい。
【００５３】
シール材１９は所定の厚さを備えた断面視方形状であり、第１面（室外側に近い面）が第１辺６０の内面に密着固定されており（例えば、粘着層を介して）、第２面（室外側から遠い面、すなわち、室内側に近い面）には、シール材１８の第１部分１８０の第１面（室外側に近い面）が接触している。第１辺６０とシール材１８の第１部分１８０との間にシール材１９が挟まれた状態となっている。
【００５４】
シール材１９を形成する弾性部材の材料としては、半独立気泡構造ないし独立気泡構造を備えた発泡ゴムが例示され、より具体的には、EPDMゴム発泡体（独立気泡体ないし半独立気泡体）が例示され、具体例としてエプトシーラー（登録商標）を挙げることができる。
【００５５】
図１０に示すように、組み込み前の状態ではシール材１９は断面視方形を備えているが、オーバーヘッドドアとして組み込まれた状態では、全閉状態となる前の開閉時においても、ある程度圧縮されている。具体的には、パネル１の室外側面部１０の幅方向両端部（縦框１５の第１辺１５０）と躯体５の内面５０（支持枠６の第１辺６０）との間の隙間には、シール材１８の第１部分１８０及びシール材１９が位置しており、シール材１９の第１面は第１辺６０に接着されており、シール材１９の第２面にはシール材１８の第１部分１８０の第１面が密着しており、第１部分１８０の第２面には縦框１５の第１辺１５０が当接しており、シール材１８及びシール材１９を押圧している。全閉状態では、以下に述べるように、最下位パネル１が室外側へ移動することで、シール材１９はさらに圧縮される。
【００５６】
ガイドレール４の第１部位４０の下方部位、具体的には、全閉状態の扉体の最下位のパネル１の上下のガイドローラ３に対応する高さ位置には、第１ガイド面４３の内面に凸部４３０が設けてある（図１１）。凸部４３０は、扉体の開閉時において、ガイドローラ３のスムーズな走行を妨げないような突出寸法及び形状を備えている。凸部４３０は、応力が作用しても容易に変形することなく、形状を維持できるものであれば、材質は限定されないが、例えば、硬質の樹脂や金属から形成される。また、図示の態様では、凸部４３０は、一体のブロックから形成されているが、複数枚の薄板を積層して凸部４３０を形成してもよく、そうすることで薄板の枚数の選択によって凸部４３０の突出寸法を調整することができる。
【００５７】
図示の態様では、凸部４３０は、上側傾斜面と、下側傾斜面と、中央の垂直面と、を備えている。上側傾斜面、下側傾斜面は、パネル１の下降時、上昇時にガイドローラ３が凸部４３０に乗り上げる、あるいは、乗り越える際の抵抗を低減するガイドスロープとして機能する。なお、下側の凸部４３０において、下側傾斜面は無くてもよい。凸部４３０の形状は、このような側面視台形状の形状に限定されるものではなく、例えば、上側の傾斜面と下側の傾斜面から側面視三角形状の形状であってもよい。
【００５８】
全閉姿勢では、図１１に示すように、最下位パネル１の上側のガイドローラ３が上側の凸部４３０の垂直面に乗り上げて当接しており、下側のガイドローラ３が下側の凸部４３０の垂直面に乗り上げて当接しており、凸部４３０の厚さ分だけ最下位パネル１が室外側に押圧されており、図１３に示すように、シール材１８の先端部位と第１辺６０の先端部位間に挟まれているシール材１９が圧縮されて薄肉状となっている。最下位パネル１の室外側面部１０の幅方向端部（縦框１５の第１辺１５０）と、シール材１８の第１部分１８０の第２面（室外側から遠い面）が密着状態にあり、シール材１８の第１部分１８０の第１面（室外側に近い面）とシール材１９の第２面（室外側から遠い面）が密着状態にある。このようにして、シール材１８、１９によって、支持枠６の第１辺６０と最下位パネル１の室外側面部１０の幅方向端部（縦框１５の第１辺１５０）との間の隙間が密閉される。
【００５９】
最下位パネル１の下端には、パネル幅方向の両端部の室外側部位に位置して断面視三角形状の第１水密ブロック８６の上面８６０が固定されている。第１水密ブロック８６の第１面８６１は、ボトム水密部材８の本体８０の長さ方向両端部の室外側部位の上半部に近接ないし接触しており、第１水密ブロック８６の第２面８６２は、シール材１８の下方部位に対向している。第１水密ブロック８６はゴム材等の弾性部材から形成され、例えば、クロロプレンゴムから形成されている。
【００６０】
床面ＦＬには、シール材１８の下方部位に接触するように断面視三角形状の第２水密ブロック８７が設けてある。第２水密ブロック８７は、第２面８７２がシール材１８の下方部位に接触させた状態で、下面８７０が床面ＦＬに固定されている。より具体的には、図１４の左図に示すように、第２水密ブロック８７は、シール材１８を介してシール材１９の下方部位を圧縮させた状態でシール材１８に当接するように設置される（全閉時には、最下位パネル１が室外側に変位することで、シール材１９が全高に亘って圧縮される）。第２水密ブロック８７は、発泡ポリスチレンないし発泡スチロールから形成されており、ボトム水密部材８の室外側部位の下方に対向する第１面８７１には、弾性層８８が形成されている。弾性層８８は、発泡ゴム（例えば、EPDMゴム発泡体）から形成されている。第２水密ブロック８７は、弾性層８８を介してボトム水密部材８の長さ方向両端部の室外側部位の下半部に対向している。
【００６１】
全閉状態において、第１水密ブロック８６は、ボトム水密部材８の変形および最下位パネル１の室外側への移動に伴って室外側へ変位し、第２面８６２がシール材１８に密着する。また、最下位パネル１が室外側へ移動することで、ボトム水密部材８の室外側部位が第２水密ブロック８７の弾性層８８に密着する。
【００６２】
本実施形態では、上側のガイドローラ３、下側のガイドローラ３のそれぞれに対応して上側の凸部４３０、下側の凸部４３０を設けることで最下位パネル１を全閉時に室外側へ変位させるが、上側の凸部４３０、下側の凸部４３０のいずれか一方を設けたものでもよい。また、ガイドレール４（第１部位４０）の第１ガイド面４３には凸部を形成しない態様においても、ガイドレール４の第１部位４０（第１ガイド面４３、第２ガイド面４４）は、下方に向かって室外側に緩やかに傾斜しており、第１ガイド面４３が下方に向かって室外側に緩やかに傾斜することで、パネル下降時には、ガイドローラ３が室外側に移動しながら下降することで室外側に移動する。
【００６３】
全閉状態において、ガイドローラ３の室内側部位は凸部４３０に当接しているので、室外側から最下位パネル１の室外側面部１０に水圧が作用しても、最下位パネル１の室外側面部１０（縦框１５の第１辺１５０）と躯体５の内面５０（支持枠６の第１辺６０）との間の隙間が拡がることがなく、シール材１９は圧縮状態を維持したままで水密構造が確保される。同様に、シール材１８の先端側部位（第１部分１８０の第２面）と最下位パネル１の室外側面部１０（縦框１５の第１辺１５０）との密着状態、シール材１８の先端側部位（第１部分１８０の第１面）とシール材１９の第２面との密着状態が維持され水密構造が確保される。同様に、第１水密ブロック８６の第１面８６１とボトム水密部材８の室外側部位との密着状態、第１水密ブロック８６の第２面８６２とシール材１８との密着状態、第２水密ブロック８７の弾性層８８とボトム水密部材８の室外側部位との密着状態、第２水密ブロック８７の第２面８７２とシール材１８との密着状態が維持され水密構造が確保される。
【００６４】
図１４の右図に、第２水密ブロック８７の取付状態の他の態様を示す。第２水密ブロック８７は、シール材１８、１９の下方部位と躯体５の内面５０（支持枠６の第１辺６０）との間に位置して、床面ＦＬ上に設けてある。全閉状態において、第２水密ブロック８７は、躯体５とシール材１９の下方部位との間に位置し、第１面８７１がシール材１９に密着し、第２面８７２が躯体５の内面５０（支持枠６の第１辺６０）に密着しており、ボトム水密部材８（図１４では図示せず）の長さ方向両端部の室外側部位がシール材１８、１９を介して第２水密ブロック８７に密着している。なお、第２水密ブロック８７の第２面８７２を躯体５の内面５０（支持枠６の第１辺６０）に固定してもよく、また、第２水密ブロック８７の第１面８７１をシール材１９に固定してもよい。
【符号の説明】
【００６５】
１  パネル
６  支持枠
６０  第１辺
８  ボトム水密部材
８４  弾性部材
８５  弾性層
８６  第１水密ブロック
８７  第２水密ブロック
８８  弾性層
１５  縦框
１５０  第１辺
１８  シール材
１９  シール材
【図１】
0006603515.tif 000002
【図２】
0006603515.tif 000003
【図３】
0006603515.tif 000004
【図４】
0006603515.tif 000005
【図５】
0006603515.tif 000006
【図６】
0006603515.tif 000007
【図７】
0006603515.tif 000008
【図８】
0006603515.tif 000009
【図９】
0006603515.tif 000010
【図１０】
0006603515.tif 000011
【図１１】
0006603515.tif 000012
【図１２】
0006603515.tif 000013
【図１３】
0006603515.tif 000014
【図１４】
0006603515.tif 000015